(57)【要約】      （修正有）【課題】経時的なＥＳＲの増加を抑制できる電解コンデンサを提供する。【解決手段】周壁３ｂの一端を端壁３ａにより閉塞して他端に開口部３ｃを有した有底筒状の本体ケース３と、第１電極体と第２電極体とをセパレータを介して巻回されるとともに本体ケースに収納されるコンデンサ素子１０と、開口部３ｃを封口する封口体５とを備え、第１電極体と第２電極体との間に導電性高分子及び所定の液剤を配した電解コンデンサにおいて、酸化抑制剤を保持した絶縁シート４を端壁３ａとコンデンサ素子１０との間に設けた。【選択図】図３
2020004800.tif 000002
【特許請求の範囲】
【請求項１】
周壁の一端を端壁により閉塞して他端に開口部を有した有底筒状の本体ケースと、第１電極体と第２電極体とをセパレータを介して巻回されるとともに前記本体ケースに収納されるコンデンサ素子と、前記開口部を封口する封口体とを備え、前記第１電極体と前記第２電極体との間に導電性高分子及び所定の液剤を配した電解コンデンサにおいて、酸化抑制剤を保持した絶縁シートを前記端壁と前記コンデンサ素子との間に設けたことを特徴とする電解コンデンサ。
【請求項２】
前記液剤が有機酸または無機酸のアミン塩、有機酸または無機酸のアミジン塩のいずれかの電解質を溶解した電解液を含むことを特徴とする請求項１に記載の電解コンデンサ。
【請求項３】
前記液剤が支持電解質を持たない低導電性液を含むことを特徴とする請求項１に記載の電解コンデンサ。
【請求項４】
前記液剤が前記コンデンサ素子に含浸され、前記絶縁シートが前記端壁上に配される底面部と、前記底面部から折曲して前記周壁上に配される側面部とを有することを特徴とする請求項１〜請求項３のいずれかに記載の電解コンデンサ。
【請求項５】
前記液剤が前記コンデンサ素子に含浸され、前記絶縁シートが前記端壁上に配される底面部と、前記底面部から折曲して前記周壁上に配される側面部とを有するとともに、前記側面部の単位面積当たりの前記酸化抑制剤の保持量が、前記底面部の単位面積当たりの前記酸化抑制剤の保持量よりも大きいことを特徴とする請求項２に記載の電解コンデンサ。
【請求項６】
前記絶縁シートが矩形または平行四辺形に形成され、前記絶縁シートの少なくとも一の対角線が前記本体ケースの内径よりも大きいことを特徴とする請求項４または請求項５に記載の電解コンデンサ。
【請求項７】
前記酸化抑制剤が、ビタミン類酸化防止剤、アミン系酸化防止剤、フェノール系酸化防止剤、リン系酸化防止剤、糖類酸化防止剤のいずれかを含むことを特徴とする請求項１〜請求項６のいずれかに記載の電解コンデンサ。
【発明の詳細な説明】
【技術分野】
【０００１】
本発明は、電解質に導電性高分子を含む電解コンデンサに関する。
【背景技術】
【０００２】
従来の電解コンデンサは特許文献１に開示されている。この電解コンデンサは本体ケース、コンデンサ素子及び封口体を備えている。本体ケースは金属によって有底筒状に形成され、円筒状の周壁の一端を端壁により閉塞して他端に開口部を開口する。
【０００３】
コンデンサ素子は誘電体被膜が形成された陽極箔と対向陰極箔とをセパレータを介して巻回され、本体ケースに収納される。誘電体被膜と対向陰極箔との間には電解質として導電性高分子が配されるとともに電解液が含浸される。また、陽極箔及び対向陰極箔にはそれぞれリード端子が接続される。
【０００４】
コンデンサ素子を収納した本体ケースの開口部はゴム等の封口体により封口される。この時、リード端子は封口体を貫通して本体ケース外に引き出される。
【０００５】
上記構成の電解コンデンサによると、コンデンサ素子が電解質に導電性高分子を含むため、電解コンデンサのＥＳＲを低くすることができる。また、電解液により誘電体被膜の欠陥が修復され、電解コンデンサの耐電圧を高くすることができる。
【先行技術文献】
【特許文献】
【０００６】
【特許文献１】特開２００８−１０６５７号公報（第４頁−第１３頁、第２図）
【発明の概要】
【発明が解決しようとする課題】
【０００７】
しかしながら、上記従来の電解コンデンサによると、本体ケース内には封口時に空気が閉じ込められる。また、本体ケースと封口体との間やリード端子と封口体との間から空気等の酸化性物質が経時的に本体ケース内に侵入する。このため、電解コンデンサを長期使用すると導電性高分子が酸化して電解コンデンサのＥＳＲが高くなる問題があった。
【０００８】
本発明は、経時的なＥＳＲの増加を抑制できる電解コンデンサを提供することを目的とする。
【課題を解決するための手段】
【０００９】
上記目的を達成するために本発明は、周壁の一端を端壁により閉塞して他端に開口部を有した有底筒状の本体ケースと、第１電極体と第２電極体とをセパレータを介して巻回されるとともに前記本体ケースに収納されるコンデンサ素子と、前記開口部を封口する封口体とを備え、前記第１電極体と前記第２電極体との間に導電性高分子及び所定の液剤を配した電解コンデンサにおいて、酸化抑制剤を保持した絶縁シートを前記端壁と前記コンデンサ素子との間に設けたことを特徴としている。
【００１０】
また本発明は、上記構成の電解コンデンサにおいて、前記液剤が有機酸または無機酸のアミン塩、有機酸または無機酸のアミジン塩のいずれかの電解質を溶解した電解液を含むことを特徴としている。
【００１１】
また本発明は、上記構成の電解コンデンサにおいて、前記液剤が支持電解質を持たない低導電性液を含むことを特徴としている。
【００１２】
また本発明は、上記構成の電解コンデンサにおいて、前記液剤が前記コンデンサ素子に含浸され、前記絶縁シートが前記端壁上に配される底面部と、前記底面部から折曲して前記周壁上に配される側面部とを有することを特徴としている。
【００１３】
また本発明は、上記構成の電解コンデンサにおいて、前記液剤が前記コンデンサ素子に含浸され、前記絶縁シートが前記端壁上に配される底面部と、前記底面部から折曲して前記周壁上に配される側面部とを有するとともに、前記側面部の単位面積当たりの前記酸化抑制剤の保持量が、前記底面部の単位面積当たりの前記酸化抑制剤の保持量よりも大きいことを特徴としている。
【００１４】
また本発明は、上記構成の電解コンデンサにおいて、前記絶縁シートが矩形または平行四辺形に形成され、前記絶縁シートの少なくとも一の対角線が前記本体ケースの内径よりも大きいことを特徴としている。
【００１５】
また本発明は、上記構成の電解コンデンサにおいて、前記酸化抑制剤が、ビタミン類酸化防止剤、アミン系酸化防止剤、フェノール系酸化防止剤、リン系酸化防止剤、糖類酸化防止剤のいずれかを含むことを特徴としている。
【発明の効果】
【００１６】
本発明によると、本体ケースの端壁とコンデンサ素子との間に配した絶縁シートが酸化抑制剤を保持するので、導電性高分子の酸化が抑制される。従って、電解コンデンサの経時的なＥＳＲの増加を抑制することができる。
【図面の簡単な説明】
【００１７】
【図１】本発明の実施形態に係る電解コンデンサを上方から見た斜視図
【図２】本発明の実施形態に係る電解コンデンサを下方から見た斜視図
【図３】本発明の実施形態に係る電解コンデンサのコンデンサ本体を示す正面断面図
【図４】本発明の実施形態に係る電解コンデンサのコンデンサ素子を示す斜視図
【図５】本発明の実施形態に係る電解コンデンサの絶縁シートの設置状態を示す斜視図
【図６】本発明の実施形態に係る電解コンデンサの絶縁シートの設置状態を示す斜視図
【図７】本発明の実施形態に係る電解コンデンサの絶縁シートを示す平面図
【図８】本発明の実施形態に係る電解コンデンサの絶縁シートの製造時の状態を説明する斜視図
【発明を実施するための形態】
【００１８】
以下に図面を参照して本発明の実施形態を説明する。図１及び図２は一実施形態の電解コンデンサ１を上方から見た斜視図及び下方から見た斜視図を示している。電解コンデンサ１はコンデンサ本体２と座板６とを備えている。座板６は合成樹脂により形成され、コンデンサ本体２を保持する。座板６には一対の貫通孔６ａ及び貫通孔６ｂが設けられる。後述するコンデンサ本体２に設けられたリード端子７、８は貫通孔６ａ、６ｂに挿通して折曲され、回路基板に半田付けされる。
【００１９】
図３はコンデンサ本体２の正面断面図を示している。コンデンサ本体２は本体ケース３、コンデンサ素子１０、絶縁シート４及び封口体５を備えている。本体ケース３はアルミニウム等の金属により断面円形の有底筒状に形成され、円筒状の周壁３ｂの一端を端壁３ａにより閉塞して他端に開口部３ｃを開口する。
【００２０】
コンデンサ素子１０は本体ケース３に収納され、後述する第１電極体１１及び第２電極体１２（図４参照）にそれぞれ接続されたリード端子７、８が延出される。絶縁シート４は本体ケース３の端壁３ａとコンデンサ素子１０との間に配される。絶縁シート４によって本体ケース３を介した第１電極体１１と第２電極体１２との短絡が防止される。
【００２１】
封口体５はゴム等の絶縁体の弾性材料の成形品により一対の貫通孔５ａ、５ｂを有した円板状に形成される。本体ケース３の開口部３ｃに封口体５を配した状態で本体ケース３の周面に絞り加工を施して凹部３ｄが形成される。これにより、封口体５が固定され、本体ケース３の開口部３ｃが封口体５により封口される。この時、本体ケース３に収納されたコンデンサ素子１０のリード端子７、８が圧入によって貫通孔５ａ、５ｂに挿通され、コンデンサ素子１０が固定される。
【００２２】
図４はコンデンサ素子１０の斜視図を示している。コンデンサ素子１０は長尺状の第１電極体１１と長尺状の第２電極体１２とを絶縁体のセパレータ１３を介して巻回して形成される。第１電極体１１または第２電極体１２の終端は巻止めテープ１４によって固定される。
【００２３】
第１電極体１１はアルミニウム、タンタル、ニオブ、チタン等の弁作用金属から成っている。第１電極体１１の表面には化成処理によって酸化物の誘電体皮膜（不図示）が形成される。第２電極体１２はセパレータ１３を介して第１電極体１１に対向し、アルミニウム等により形成される。
【００２４】
リード端子７は誘電体被膜を有した第１電極体１１に接続され、リード端子８は第２電極体１２に接続される。尚、第１電極体１１及び第２電極体１２に誘電体被膜を設けてもよい。
【００２５】
第１電極体１１と第２電極体１２との間には導電性高分子が配される。導電性高分子の分散液にコンデンサ素子１０を所定時間浸漬した後に乾燥することにより、導電性高分子を第１電極体１１と第２電極体１２との間に配することができる。導電性高分子によって電解コンデンサ１のＥＳＲを低くすることができる。
【００２６】
導電性高分子として、ポリチオフェン、ポリピロールまたはこれらの誘導体等を用いることができる。ポリエチレンジオキシチオフェンは電気伝導率が高いためより望ましい。
【００２７】
また、所定の液剤にコンデンサ素子１０を所定時間浸漬することにより、液剤がコンデンサ素子１０に含浸される。これにより、第１電極体１１と第２電極体１２との間には液剤が配される。
【００２８】
コンデンサ素子１０に所定の液剤を含浸すると、電解コンデンサ１の耐電圧を高くすることができる。コンデンサ素子１０に含浸する液剤には電解質を溶解した電解液または支持電解質を持たない低導電性液が用いられる。液剤は電解コンデンサ１の使用温度域（例えば、−３０℃〜１５０℃）よりも沸点が高く、融点が低くなっている。
【００２９】
電解コンデンサ１の耐電圧を高くする低導電性液として、γ―ブチロラクトン、スルホラン、エチレングリコール、ジエチレングリコール、ポリアルキレングリコール、エチレングリコールアルキルエーテル、ジエチレングリコールアルキルエーテル、ポリアルキレングリコールの脂肪酸エステル、ポリアルキレングリコールアルキルエーテル、ポリグリセリン、ポリグリセリンのポリアルキレングリコール付加物、ポリグリセリン脂肪酸エステル、多価アルコール（ソルビタン等）の脂肪酸エステル、不飽和脂肪酸等を用いることができる。
【００３０】
また、電解コンデンサ１の耐電圧を高くする電解液として、極性の高い溶媒に有機酸または無機酸のアミン塩、有機酸または無機酸のアミジン塩のいずれかの電解質を溶解した電解液を用いることができる。極性の高い溶媒は上記低導電性液に例示した各液剤から選択することができる。
【００３１】
第１電極体１１と第２電極体１２との間に電解液を配することにより電解コンデンサ１のＥＳＲをより低くすることができる。また、電解液の酸化作用により第１電極体１１の誘電体被膜の欠陥が修復されるため、電解コンデンサ１の耐電圧を高くできるとともに漏れ電流を低くすることができる。
【００３２】
尚、コンデンサ素子１０に複数の液剤を含浸してもよい。この時、電解液と、電解液の溶媒よりも沸点が高く溶媒に非相溶性の液剤とをコンデンサ素子１０に含浸するとより望ましい。これにより、電解液の溶媒の蒸散速度が遅くなり、１５０℃を超える高温環境下でも電解コンデンサ１の長寿命化を図ることができる。
【００３３】
図５は絶縁シート４の平面図を示している。図６及び図７は絶縁シート４の設置状態の斜視図を示している。図６は本体ケース３の内側を見た図を示しており、図７は本体ケース３を省いたコンデンサ素子１０の上部を示している。
【００３４】
絶縁シート４は天然セルロース繊維または合成樹脂繊維を積層した基材に酸化抑制剤を保持し、正方形に形成される。絶縁シート４の対角線は本体ケース３の内径よりも大きくなっている。このため、絶縁シート４は本体ケース３の端壁３ａ（図３参照）上に配される底面部４ａと、底面部４ａから折曲して周壁３ｂ上に配される側面部４ｂとを有する。
【００３５】
絶縁シート４に保持される酸化抑制剤として、ビタミン類酸化防止剤（ビタミンＣ等）、アミン系酸化防止剤、フェノール系酸化防止剤、リン系酸化防止剤、糖類酸化防止剤等の１種または複数種を用いることができる。
【００３６】
本体ケース３内の雰囲気中にはコンデンサ本体２の封口時に閉じ込められる空気や、経年使用により侵入する空気等の酸化性物質が含まれる。本体ケース３内の雰囲気中の酸化性物質は絶縁シート４に保持される酸化抑制剤によって補足または酸化性の低い化合物に化学変化する。これにより、導電性高分子の酸化を抑制することができる。
【００３７】
また、コンデンサ素子１０に含浸される液剤に酸化性物質が含まれる場合がある。液剤は絶縁シート４の底面部４ａとコンデンサ素子１０の軸方向端面との接触領域から絶縁シート４に対流する。このため、液剤内の酸化性物質は酸化抑制剤によって補足または酸化性の低い化合物に化学変化し、導電性高分子の酸化が抑制される。
【００３８】
絶縁シート４に保持される酸化抑制剤は底面部４ａとコンデンサ素子１０の軸方向端面との接触領域から液剤に溶出する。絶縁シート４の側面部４ｂはコンデンサ素子１０の軸方向端面に接触しないため、酸化抑制剤の溶出が少ない。このため、側面部４ｂを設けることにより、酸化抑制剤が絶縁シート４に長期間保持される。これにより、導電性高分子の酸化を長期間抑制することができる。
【００３９】
尚、コンデンサ素子１０に含浸される液剤に対して不溶性または低溶解性の酸化抑制剤を用いてもよい。
【００４０】
また、コンデンサ素子１０に含浸される液剤が電解液を含む場合は、誘電体被膜の欠陥が生じた際に電解液により第１電極体１１が酸化して誘電体被膜が修復される。この時、絶縁シート４に保持される酸化抑制剤によって電解液による誘電体被膜の修復作用が低下する。
【００４１】
このため、絶縁シート４の側面部４ｂの単位面積当たりの酸化抑制剤の保持量を、底面部４ａの単位面積当たりの酸化抑制剤の保持量よりも大きくしている。これにより、コンデンサ素子１０の軸方向端面に面した底面部４ａから液剤への溶出量が少なくなり、誘電体被膜の近傍における酸化抑制剤の濃度を低くすることができる。従って、電解液による誘電体被膜の修復作用を高く維持することができる。
【００４２】
また、酸化抑制剤の保持による底面部４ａの硬化が抑制されるため、天然セルロース繊維または合成樹脂繊維の積層体に液剤が浸透して底面部４ａの軟質性が維持される。これにより、コンデンサ素子１０の軸方向端面が当接した底面部４ａが緩衝材として機能し、コンデンサ素子１０の破損を防止することができる。
【００４３】
前述の図５は絶縁シート４上の酸化防止剤の分布を表わしており、図中、黒色の濃度が高くなるに従って酸化防止剤の密度が高くなっている。同図に示すように、本実施形態では絶縁シート４の一辺に平行なＸ方向の中心部から端部に向かって酸化防止剤の密度を高くしている。これにより、側面部４ｂの単位面積当たりの酸化抑制剤の保持量を、底面部４ａの単位面積当たりの酸化抑制剤の保持量よりも大きくすることができる。
【００４４】
図８は本実施形態の絶縁シート４の製造時の状態を説明する斜視図である。絶縁シート４の基材は長尺のテープ状体４’に加工され、巻回してテープ状体４’のロールが形成される。次に、テープ状体４’のロールは酸化抑制剤の溶液に浸漬され、酸化抑制剤の溶液を含浸した後に溶液から取り出して乾燥される。
【００４５】
この時、ロールの径方向に隣接するテープ状体４’は密接するため、酸化抑制剤の溶液の溶媒はロールの軸方向から抜け出す。このため、溶媒に溶けた酸化抑制剤は溶媒とともにテープ状体４’内をロールの軸方向に移動し、軸方向（Ｘ方向）の中心部よりも端部の酸化抑制剤の密度が高くなる。そして、テープ状体４’を長手方向に垂直な切断線Ｄで切断することにより、図５に示す酸化抑制剤の分布を有した正方形の絶縁シート４が得られる。
【００４６】
尚、絶縁シート４を正方形以外の矩形に形成してもよく、テープ状体４’を長手方向に対して傾斜した切断線Ｄにより切断した平行四辺形（菱形を含む）に形成してもよい。この場合も上記と同様に、絶縁シート４の少なくとも一の対角線を本体ケース３の内径よりも大きくして底面部４ａ及び側面部４ｂを形成することができる。
【００４７】
本実施形態によると、本体ケース３の端壁３ａとコンデンサ素子１０との間に配した絶縁シート４が酸化抑制剤を保持するので、導電性高分子の酸化が抑制される。従って、電解コンデンサ１の経時的なＥＳＲの増加を抑制することができる。
【００４８】
また、コンデンサ素子１０に含浸される液剤が有機酸または無機酸のアミン塩、有機酸または無機酸のアミジン塩のいずれかの電解質を溶解した電解液を含むと、電解コンデンサ１のＥＳＲをより低くすることができる。加えて、電解液の酸化作用により誘電体被膜の欠陥が修復され、電解コンデンサ１の耐電圧を確実に高くできるとともに漏れ電流を低くすることができる。
【００４９】
また、コンデンサ素子１０に含浸される液剤が支持電解質を持たない低導電性液を含むと、電解コンデンサ１の耐電圧を容易に高くできる。
【００５０】
また、絶縁シート４が本体ケース３の端壁３ａ上に配される底面部４ａと、底面部４ａから折曲して本体ケース３の周壁３ｂ上に配される側面部４ｂとを有する。これにより、側面部４ｂから液剤に溶出する酸化抑制剤が少ないため酸化抑制剤が絶縁シート４に長期間保持され、導電性高分子の酸化を長期間抑制することができる。
【００５１】
また、電解液を含む液剤がコンデンサ素子１０に含浸される場合に、側面部４ｂの単位面積当たりの酸化抑制剤の保持量を、底面部４ａの単位面積当たりの酸化抑制剤の保持量よりも大きくしている。これにより、底面部４ａから液剤への溶出量が少ないため誘電体被膜の近傍における酸化抑制剤の濃度を低くすることができ、電解液による誘電体被膜の修復作用を高く維持することができる。
【００５２】
また、絶縁シート４が矩形または平行四辺形に形成され、絶縁シート４の少なくとも一の対角線が本体ケース３の内径よりも大きいので、底面部４ａ及び側面部４ｂを有した絶縁シート４を容易に実現することができる。
【００５３】
また、絶縁シート４に保持される酸化抑制剤が、ビタミン類酸化防止剤、アミン系酸化防止剤、フェノール系酸化防止剤、リン系酸化防止剤、糖類酸化防止剤のいずれかを含むので、酸化抑制剤を保持する絶縁シート４を容易に実現することができる。
【００５４】
本実施形態において、コンデンサ素子１０に液剤を含浸しているが、本体ケース３内に充填した液剤にコンデンサ素子１０を浸漬してもよい。
【産業上の利用可能性】
【００５５】
本発明は、電解コンデンサ及び電解コンデンサを制御回路に実装した自動車、電子機器等に利用することができる。
【符号の説明】
【００５６】
１      電解コンデンサ
２      コンデンサ本体
３      本体ケース
３ａ    端壁
３ｂ    周壁
３ｃ    開口部
３ｄ    凹部
４      絶縁シート
４ａ    底面部
４ｂ    側面部
４’    テープ状体
５      封口体
６      座板
７、８  リード端子
１０      コンデンサ素子
１１      第１電極体
１２      第２電極体
１３      セパレータ
１４      巻止めテープ
Ｄ      切断線
【図１】
2020004800.tif 000003
【図２】
2020004800.tif 000004
【図３】
2020004800.tif 000005
【図４】
2020004800.tif 000006
【図５】
2020004800.tif 000007
【図６】
2020004800.tif 000008
【図７】
2020004800.tif 000009
【図８】
2020004800.tif 000010